(57)【要約】      （修正有）【課題】温度差を電気に変換するための織物タイプの構造体を提供する。【解決手段】細長い物体の形状を有し、熱エネルギーを電気エネルギーに変換する少なくとも１つの変換器を表面に有し、織られ又は編まれ得る熱電手段６０を有する。厚さ方向の温度差を電気に変換する構造体体は、織物用の繊維８と、前記熱電手段６０と、接続手段７とを織り交ぜることによって形成されるアセンブリを有する。【選択図】図５
2009100643.tif 000002
【特許請求の範囲】
【請求項１】
織られ又は編まれることができ、
細長い物体の形状を有し、
少なくとも１つの面上に、熱エネルギーを電気エネルギーに変換する少なくとも１つの変換器（３）を備え、
少なくとも１つの前記変換器が、Ｕ字形の構造体を形成するように折り曲げられることを特徴とする熱電手段（６０、６１）。
【請求項２】
少なくとも１つの前記変換器（３）が、少なくとも２つの電気的な接合部（３３、３４）を画定するために、異なる性質の複数の電気的な導体（４０、４１）を備え、
２つの前記接合部が、前記導体の反対側の端部に配置され、複数の前記導体を電気的に並列に接続し、
少なくとも２つの前記接合部が、前記物体の何れかの側面上に、前記物体の長手方向に沿って配置される請求項１に記載の熱電手段。
【請求項３】
柔軟な断熱性の支持体（５）を備え、
前記支持体の上に、少なくとも１つの前記変換器（３）が折り曲げられて、固定される請求項１又は２に記載の熱電手段。
【請求項４】
前記支持体（５）が、略長方形の断面のテープの形状であり、
前記変換器（３）が、略Ｕ字型である請求項３に記載の熱電手段。
【請求項５】
少なくとも１つの前記変換器（３）が、電気的に直列接続され、熱的に並列接続された複数の熱電対（４）を備え、
前記熱電対が、電気絶縁性の基板（３０）の上に配置され、
前記基板が、前記熱電対（４）を横切る方向に折り曲げられる請求項１〜４の何れか１項に記載の熱電手段。
【請求項６】
前記基板（３０）が、ポリマーシート、または、望ましくはポリイミド、ポリエチレン若しくはポリエステルのシートである請求項５に記載の熱電手段。
【請求項７】
前記熱電対が、Ｂｉ、Ｓｂ、Ｂｉ2Ｔｅ3、Ｂｉ及びＴｅをベースとする合金、Ｓｂ及びＴｅをベースとする合金、Ｂｉ及びＳｅをベースとする合金、又は、Ｓｉ／ＳｉＧｅ超格子などの熱電材料の薄膜形状である請求項５又は６に記載の熱電手段。
【請求項８】
前記支持体（５）が、織物用の繊維、及び／又は、ポリマー材、望ましくはポリイミド、ポリエチレン、ポリアミド若しくはポリエステルから選択された材質で形成されたテープ状である請求項５〜７の何れか１項に記載の熱電手段。
【請求項９】
前記変換器が、前記基板（３０）の２つの面の各々の上に接続部を有する請求項５〜８の何れか１項に記載の熱電手段。
【請求項１０】
厚さ方向の温度差を電気に変換するための構造体であって、
織物用の繊維（８）と、請求項１〜９の何れか１項に記載された複数の熱電手段（６０、６１）と、電気的な接続手段（７）とを織り交ぜることによって形成されるアセンブリを備え、
前記熱電手段が、それぞれ独立に、前記構造体における前記熱電手段の位置に依らずに、熱エネルギーを電気に変換することができる構造体。
【請求項１１】
前記織物用の繊維が、誘電体の繊維である請求項１０に記載の構造体。
【請求項１２】
前記熱電手段（６０、６１）が前記接続手段（７）によって並列に接続される請求項１０又は１１に記載の構造体。
【発明の詳細な説明】
【技術分野】
【０００１】
本発明は、織物に適用されるエネルギー再生システムの分野に関する。それは、温度差を電気に変換するための織物タイプの構造体に関する。
【背景技術】
【０００２】
現在、電子的手段に関連する機能が組み込まれた織物が存在する。それらの機能は、温度、大気圧または湿度などのセンサによって、若しくは検出器によって、環境についての情報を収集すること、又は、生理的パラメータ（心拍、体温、または血圧など）を測定することを含む。
【０００３】
現在、電子的機能が組み込まれたそれらの織物は、エネルギー源としてリチウム蓄電池を使用するので、そのリチウム蓄電池は、このタイプの織物が組み込まれたアセンブリの中に装備されなければならない。
【０００４】
従って、これらの織物の主たる欠点は、それらが完全には自給自足ではないことである。
【０００５】
この欠点を克服するために、織物構造体の中に、ワイヤの形で熱電変換器を組み込むことが、既に提案されている。
【０００６】
知られているように、熱電変換器は、ゼーベック効果を使って熱エネルギーを電気エネルギーに変換することができる。この原理は、次のようなものである。性質の違う２つの導体から成る閉回路において、２つの接合部の間に温度差が維持されると、電流が流れる。
【０００７】
熱電変換器は、性質が違う２つの導体の、複数のペアで構成される。１つのペアの２つの導体は直列接続されており、導体の全てのペアは、電気的に直列接続され、且つ熱的に並列接続されている。この構成は、導体を通って流れる熱の流れを最適化し、そしてその電気抵抗を最適化することを可能にする。
【０００８】
本明細書の全文において、用語「熱電構造体」は、温度差を電気に変換するための構造体を意味するものとする。
【０００９】
異なる性質の２つの導体が組み込まれている熱電構造体は、既に知られている。これらの導体は、織られ又は編まれていてもよい。織る又は編むことによって、性質の異なる２つの導体を接続し、したがって、導体のペア即ち熱電対を生成することが可能である。
【００１０】
一般に、これらの導体は金属および／または合金でできた線状体であり、それらを織る又は編むことが困難である。
【００１１】
ある種の構造体は、導体間での電気的絶縁性を確実にするために、エポキシ樹脂の基板を含む。
【００１２】
何れの場合にも、熱電対は電気的に直列接続されている。
【００１３】
織ること又は編むことを利用することは、使用され得る材料のタイプを、線状体であり且つ十分に柔軟であるものに制限する。
【００１４】
また、これらの構造体の幾つかは、それら２つの端部の間の温度差のみを、それはその構造体の平面におけるものであり、且つ、厚さ方向に渡るものではないが、変換することができる。従って、それらは、構造体が衣類を作成するのに使用される場合、人体によって放出される全ての熱を探査することができない。
【００１５】
さらに、金属材料または合金でできた線を使用することは、これらの材質自体の性能が低いので、得られたその構造体の熱電的な性能を必ず制限する。何れの場合においても、その構造の性質を最適化することは、機織機または編機の特性、即ち、線の直径、構造体の厚さ、及び、線の間隔もしくは網目の大きさに課される特性によって制限される。
【００１６】
最終的に、絶縁基板が使用される場合、得られたその構造体は比較的硬い。従って、それは織物の特性を持たず、特に衣類を製造するのに直接使用され得ない。
【００１７】
織ること又は編むことによっては得られない他の構造体も知られている。
【００１８】
特に、ゼーベック効果を使用し、２枚の板またはシートから成り、それらの間に熱電対列が配置された熱電エネルギー発生機について、言及することができる。それらの板またはシートは、硬い又は軟らかいことができる。その熱電対列は、ポリイミドのシート、その上で複数の熱電対が直列に接続されているのだが、で形成され得、そして、このシートは、波形になるように形成されている。
【００１９】
この熱的発生機は、織られること又は編まれることができないので、それは、電子的機能を内在する構造体中に、必ず付加される。衣類を扱う場合、そのデザイン及びその最終的な外観は、そのような熱的発電機の厚さが約３ｍｍと比較的大きい限り、修正される。
【発明の開示】
【発明が解決しようとする課題】
【００２０】
本発明の目的は、従来技術の解によって示された欠点を軽減することである。
【００２１】
特に、本発明は熱電構造体に関し、それは、織物の表面、望ましくは衣類を直接製造し、及び、最適化された熱電パフォーマンスを直接実現するのに使用され得る。
【課題を解決するための手段】
【００２２】
したがって、本発明の１つの主題は、厚さ方向の、又は２つの表面の間の温度差を、電気に変換するための構造体であり、前記構造体は、織物用の繊維と、熱電手段と、電気的な接続手段とを織り交ぜることによって形成されるアセンブリを備えており、前記熱電手段が、それぞれ独立に、前記構造体における前記熱電手段の位置に依らずに、熱エネルギーを電気に変換することができる。
【００２３】
望ましくは、前記織物用の繊維は、誘電体の繊維である。
【００２４】
本発明は、構造体としてアセンブルされる前に、熱電機能を示す熱電手段を使用することを基本とする。このことによって、電力供給が必要な電気手段によって要求される特性に従って、前記構造体の熱電性能が容易に最適化される。
【００２５】
従って、これらの熱電手段は、前もって製造された後、機織機を用いて本発明に係る構造体に組み込まれる。
【００２６】
よって、本発明は、細長い物体の形状を有し、熱エネルギーを電気エネルギーに変換する少なくとも１つの変換器を表面に有し、織られ又は編まれ得る熱電手段に関する。
【００２７】
望ましくは、少なくとも１つの前記変換器は、少なくとも２つの電気的な接合部を画定するために、異なる性質の複数の電気的な導体を備え、２つの前記接合部は、前記導体の反対側の端部に配置され、複数の前記導体を電気的に並列に接続し、少なくとも２つの前記接合部が、前記物体の何れかの側面上に、前記物体の長手方向に沿って配置される。
【００２８】
さらに、前記物体は、柔軟な断熱性の支持体を含み、前記支持体の上に、少なくとも１つの前記変換器が折り曲げられて、固定される。
【００２９】
前記支持体（５）は略長方形の断面のテープの形であり、前記変換器（３）は略Ｕ字型であることができる。
【００３０】
有利な一つの実施の形態においては、少なくとも１つの前記変換器は、電気的に直列接続され、熱的に並列接続された複数の熱電対を備え、前記熱電対は、電気絶縁性の基板の上に配置され、前記基板は、前記熱電対を横切る方向に折り曲げられる。
【００３１】
前記基板は、ポリマーシート、または、望ましくはポリイミド、ポリエチレン若しくはポリエステルのシートである。
【００３２】
望ましい実施の形態では、前記熱電対は、Ｂｉ、Ｓｂ、Ｂｉ2Ｔｅ3、Ｂｉ及びＴｅをベースとする合金、Ｓｂ及びＴｅをベースとする合金、Ｂｉ及びＳｅをベースとする合金、又は、Ｓｉ／ＳｉＧｅ超格子などの熱電材料の薄膜形状である。
【００３３】
前記支持体は、織物用の繊維、及び／又は、ポリマー材、望ましくはポリイミド、ポリエチレン、ポリアミド若しくはポリエステルから選択された材質で形成されたテープ状である。
【００３４】
前記変換器は、前記基板の２つの面の各々の上に接続部を有することができる。
【００３５】
添付された図面と共に後述の説明を読めば、本発明がよりよく理解され、その利点および特徴がより明らかになるであろう。
【発明を実施するための最良の形態】
【００３６】
種々の図で共通する要素は、同じ参照符号で示されるであろう。
【００３７】
最初に図１を参照すると、これは、電気的に接続された導体の３つのペア１を備えた熱電変換機を示している。各ペアは、性質が異なる２つの電気導体１０、１１を有している。
【００３８】
図１に示されたように、あるペア１の２つの導体１０、１１は、電気的に直列に接続されており、そのペア１も電気的に直列に接続されている。変換機内を流れる電流は、模式的にＩで示されている。
【００３９】
最終的に、それらの導体のペアは、熱的に並列に接続されている。図１に示された例において、熱的変換機の高温面２０および低温面の間に温度差が存在し、矢印Ｆによって示された熱流束がその熱的変換機を通る。
【００４０】
そのような変換機の効率は、変換機の２つの面の間に加えられた温度差に、直接に比例する。
【００４１】
さて、図２を参照すると、これは、本発明に係る熱電手段３の製造における第１ステップを示している。
【００４２】
図２は柔軟な基板３０を示しており、その基板は略平面状で細長く、その上に導体または熱電対のペア４が形成されており、各々は異なる２つの導体４０、４１を備えている。それらは、その基板の長手方向に略垂直な方向に伸びている。
【００４３】
各ペアの導体４０、４１、および全てのペア４は、基板の長手方向の面３１、３２の各々に沿って配置された接合部３３、３１によって、電気的に直列に接続されている。２つの面３１、３２の間に温度差が加えられると、２つの端子３５、３６の間に電流が生成される。
【００４４】
導体は、機械的マスク、又は、フォトリソグラフィ及びエッチング技術を使用して製造されてもよい。
【００４５】
さらに、薄膜の形態に製造された導体のペアは、熱的に並列に接続されている。
【００４６】
もし、熱流束が、面３１から面３２に向かって熱電手段中を、その２つの面の間に温度差が生じるように、通るならば、面３１は高温面と呼ばれ、面３２は低温面と呼ばれる。同様に、接合部３３は高温接合部と呼ばれ、接合部３４は低温接合部と呼ばれる。
【００４７】
一般に、熱電手段３のゼーベック電圧ＵＳは、接続された熱電対の数、及び、熱電手段の各面３１、３２の間の、又は、導体の各端部における接合部３３、３４の間の温度差に依存する。
ＵＳ＝ｎＳpairΔＴ
ここで、ＵＳはデバイスのゼーベック電圧であり、ｎは接続された熱電対の数であり、Ｓpairは選択された熱電対の係数であり、ΔＴは、導体の各ペア４の端部における接合部３３、３４の間の温度差である。
【００４８】
よって、ある温度差に関しては、接続された熱電対の数および性質のみが、望ましい電圧を定めることができる。
【００４９】
最終的に、導体の断面積／長さの比を最適化することによって、それらの抵抗を最初に最適化することができる。
【００５０】
図３は、図２（図３Ａ）に示された熱的発電機シートであり、本発明に係る熱電手段６０を得るために、支持体５の周りに折り曲げられ、それに固定された、この同じシート３を示す斜視図である。
【００５１】
図３に示された例において、支持体５は、織られたテープ又は微小繊維の形状をしている。この支持体は、糸の形状であり得る。支持体が省略され得ることも明らかである。この場合、基板は、それ自体を支持するＵ形状の構造体にとって十分な剛性があればよい。
【００５２】
「微小繊維」の用語は、織物分野において周知であり、フィルムを細長く切ること又は直接紡ぐことによって得られる、幅よりも厚さが薄い、連続的な幅の狭い一片として定義され得る。
【００５３】
全ての場合において、支持体は、絶縁性且つ柔軟性があり、細長い形状である。
【００５４】
図４は、本発明に係る熱電手段の一実施形態を示す。２つの熱的発電機シート３は、折り曲げられ、絶縁性の支持体５に一体に結合されている。
【００５５】
実際には、図４に示された熱電手段６１は、図３に示された手段６０で製造され得る。このためには、支持体５の周りに別のシート３を、第１の熱的発電機シートに対しする支持体５の長手方向の中央軸に関して対称に、折り曲げて接着するだけでよい。
【００５６】
よって、熱電手段６１は、それぞれの先端部と尾部とが近接されて、又は、支持体５の長手方向の中央軸に関して対称に配置されている、２つの熱的発電機シート３ａ及び３ｂを備えている。金属５０の堆積は、２つのシート３ａ及び３ｂの間の電気的接続を提供するように、支持体５の上に形成され得る。
【００５７】
表面を最適化する別の方法は、一方の面上に、直列又は並列に接続された電気的手段を重ねることにある。それらの間の絶縁は、基板によって提供される。
【００５８】
最後に、各基板表面の上に、熱電手段を形成することも考えられる。
【００５９】
この実施の形態では、実用的な表面は、導体の対の数を増大させることによって最適化される。
【００６０】
第一に、導体を製造するために使用され得る熱電材料に関しては、熱電発電機または熱電冷却機の熱電効率は、無次元の係数ＺＴに直接依存していることが、もう一度思い出されるべきである。標準感度と呼ばれるこの係数は、Ｓ2σＴ／Ｋに等しい。ここで、Ｓはゼーベック係数、σは電気伝導度、Ｋは熱伝導度、Ｔは基板温度である。
【００６１】
高い効率のために、高いＺＴ係数の材料が要求され、従って、電流がその材料を通過するとき、ジュール熱を最小にするためには、高い電気伝導度が要求され、発電機または冷却機のホットパーツおよびコールドパーツの間の熱的ブリッジ現象を低減するためには、低い熱伝導度が要求され、熱を電流に最適に変換するためには、高いゼーベック係数が要求される。
【００６２】
標準感度が高いほど、装置の性能は高くなる。よって、堆積させる材料の選択が、選択された構造体（薄いフィルム又は超格子）とともに、標準感度ＺＴを、従って電気的性能を定めるであろう。
【００６３】
現在では、最良の熱電材料は、ある温度範囲で約１のＺＴ値を有している。
【００６４】
種々の研究が示しているように、柔軟な基板の上に形成され得る熱電材料の性質は非常に広い。即ち、金属及び合金であっても、Ｂｉ、Ｓｂ、Ｂｉ2Ｔｅ3やＳｉ／ＳｉＧｅ超格子などの最良の性能を有する熱電材料であってもよい。材料の選択は、費用、要求される毒性基準、および、望ましい電気的性能によって成されるであろう。
【００６５】
本発明は、３００Ｋで最良の熱電性能を有しているＢｉxＴｅy、ＳｂxＴｅy及びＢｉxＳｅyタイプや、ＳｉＧｅや、生体適合性材料や、希土類のスクッテルダイトのような、任意のタイプの熱電材料を使用することを可能にする。
【００６６】
超格子を形成することを考えることも可能である。それは、超格子の量子サイズ効果によって、結晶格子中のフォノンの寄与を大きく低減させ、力率Ｓ2σを増大させることができる。よって、Ｂｉ2Ｔｅ3／Ｓｂ2Ｓｅ3超格子（標準感度が約３である）、Ｐｂ／ＰｂＴｅＳｅ超格子（「量子ドット」、標準感度が約２である）、Ｓｉ／Ｇｅ（標準感度が約３である）、または、ｎ−Ｓｉ／ＳｉＧｅ及びｐ−Ｂ4／Ｂ9Ｃ超格子を考えることが可能である。
【００６７】
通常、用語「超格子」は、とても薄い連続する膜（厚さが１０ｎｍ未満）の積層体を含み、用語「量子ドット」は、別の材料中のナノスケールの凝集体を含む。
【００６８】
熱電材料に類似するバンド構造を有する半導体のナノ粒子（ナノ含有物）が、堆積に組み込まれ得る。これらは、標準感度ＺＴを増大させ、従って熱的発電機の性能を増大させる効果を有する。よって、ＧｅまたはＳｉＧｅ堆積に関して、ＳｉまたはＳｉＧｅ含有物が組み込まれ得る（または、逆にＧｅナノ粒子がシリコンの母体に組み込まれ得る）。母体および含有物質は、ｎドープまたはｐドープされ得る。一般に、ドーパントの集中は、考えられる材料の種々の組み合わせに関して、最適化されるであろう。
【００６９】
ＰｂＳｅ、ＰｂＳｅＴｅまたはＳｂ2Ｔｅ3を組み込んだＳｉＧｅ、ＰｂＴｅまたはＢｉ2Ｔｅ3タイプの「ホスト」材料も可能である。別の考えられる材料は、ＰｂＳｎまたはＰｂＴｅＳｅＳｎ合金である。ＨｇＣｄＴｅ、ＢｉまたはＢｉＳｂのようなＩＩＩ−Ｖ族の材料も、使用され得る。
【００７０】
薄膜は、スパッタ、蒸着もしくはＰＥＣＶＤなどの堆積技術によって、または、印刷（インクジェット、グラビア印刷、フレキソ印刷）もしくはスクリーン印刷技術によって形成されるであろう。
【００７１】
図２を参照して示されたように、基板３０は、ほぼ平面であり且つ柔軟である。それは、厚さが薄く、熱伝導度および電気伝導度が低いことも望ましい。
【００７２】
採用された堆積技術および目的の応用に依存して、高い熱的および化学的安定性も必要であり得る。
【００７３】
最も望ましい基板は、高分子で、例えば、ポリイミドのシート（例えば、商品名Ｋａｐｔｏｎ（登録商標）で販売されている）で形成される。その理由は、この材料は、応用の広範な選択に関して、全ての必要な性質の、一意の組み合わせを有するからである。しかし、ポリエステル、ポリエチレン、ポリイミド、ポリスチレン、ポリプロピレン、またはポリカーボネートなどの他の材料も、紙でさえも基板として考えられる。
【００７４】
導体間の電気的接続を形成する材料は、接触抵抗を最小にするために高い電気伝導度を有し、良好な熱的結合を保証するために高い熱伝導度を有している。
【００７５】
熱的発電機シートの支持体５に関して、その厚さ及びその性質の選択は、得られた熱電手段の２つの面の間の熱傾斜を保証する。
【００７６】
望ましくは、支持体は、断面が長方形の微小繊維またはテープである。微小繊維の幅および厚さは、約１００ミクロンから１ミリメートルまで変わり得る。厚さの選択は、
【００７７】
【数１】
2009100643.tif 000003
で知られる所望の温度差に依存する。ここで、Φは織物を通る熱流束であり、ｅは微小繊維の厚さであり、λは微小繊維の熱伝導度である。
【００７８】
テープまたは糸状体の長さは、織物の所望の寸法によって定められるであろう。多数の熱エレメントをアセンブルして、最終的に所望の電圧を得るために、糸状体／微小繊維の全長が使用され得る。
【００７９】
直列接続される熱エレメントの数を、従って電圧を増大させるために、そして最終的に有効な出力密度を増大させるために、図４に示されたように、幾つかの熱的発電機シートの積層体を考えることも可能である。熱電材料を形成するために使用される基板が非常に薄いという事実は、微小繊維の厚さを、従って、本発明に係る熱電手段のサイズを、ごく僅かに修正することを可能とする。
【００８０】
さて、本発明に係る熱電構造体の一例を示す図５を参照して説明する。
【００８１】
この構造体は、図３Ｂに示された手段６０のような熱電手段、伝導ワイヤ７、および絶縁性の糸状体８で製造される。よって、この構造体は、これらの様々なエレメントを織り交ぜることによって形成されたアセンブリで構成されている。
【００８２】
実際には、このアセンブリは、機織機または編機によって直接製造される。よって、その構造体の全ての構成要素は、同時に織られ又は編まれる。
【００８３】
通常金属ワイヤである伝導ワイヤ７は、熱電手段６０を並列接続するために使用される。このために、伝導ワイヤ７及び熱電手段６０の間の接触が、構造体９の２つの面の間で交互に成される。
【００８４】
本発明に係る構造体のゼーベック電圧は、熱電手段６０の上で直列接続された熱電対の数によって決まる。さらに、本発明に係る構造体の電気抵抗は、熱電手段６０を並列接続することによって、最適化され得る。
【００８５】
望ましい応用が電流Ｉを要求するならば、並列接続され、且つ抵抗ｒを有する熱電手段の数ｘは、
ｘ＝ｒＩ／ＵS
である。ここで、ＵSは構造体のゼーベック電圧である。
【００８６】
図６は、図５の構造体に対応する電気回路を示している。各熱電手段６０は、抵抗ｒを有する。それらは全て電気的に並列接続されており、５ＵS＝ｒＩである。
【００８７】
機械的整合性を持って本発明に係る構造体を提供するのは、織物の糸状体８及び接続ワイヤ７である。糸状体８は、熱電手段６０の間の絶縁をも提供する。
【００８８】
本発明に係る熱電構造体の望ましい実施の形態が、以下に示される。
【００８９】
これは、基板上に熱電対を形成するために、ｎ−またはｐ−型のＢｉ2Ｔｅ3をベースとする熱電合金を使用する。このペアの熱電特性は、λ＝１．５Ｗ／ｍＫ、ρ＝２．５ｍΩｃｍ、および、Ｓ＝４００μｍＶ／Ｋ  である。よって、厚さ２５μｍ、幅１ｍｍ、長さ１ｍの織物に関しては、５００μｍ離して、１０００の５００μｍ幅の熱エレメントを、即ち、５００の熱電対を接続することができる。４つの熱的発電機シートの積層体は、１．３℃の温度差ΔＴに関して、１Ｖの電圧を生成することができるであろう。
【００９０】
１０ｍＡの電流を得るには、３７０の織物を並列に接続することが必要である。このことは、機織機または編機（例えば、ＲＡＣＨＥＬ  ＴＲＡＭＥＲモードの）を使用して実現されるであろう。
【００９１】
本発明によって提供される利点は非常に多いということが分かるであろう。
【００９２】
第１に、本発明は、それらが最終の構造体にアセンブルされる前であっても熱エネルギーを電気に変換する熱電手段を、製造することを可能にする。
【００９３】
さらに、本発明によれば、熱電構造体は、織物用の繊維と、熱電手段と、接続用の繊維とを、同時に織ること又は編むことによって得られ得る。
【００９４】
得られた構造体によって、その２つの面の間の温度差を利用することが可能になる。よって、得られた構造体の活性面は、それで生成された衣類の表面と同じ大きさの面積を有している。最終的に、生成される電気エネルギーは意義深く、人体から放出される全ての熱を利用することが可能である。
【００９５】
電気的接続は、伝導ワイヤによって、簡単に成される。これによって、構造体の熱電特性は、応用に応じて最適化され得る。
【００９６】
さらに、本発明に係る構造体の全体的効率は、非常に高性能の熱電材料を用いることによって、増大され得る。
【００９７】
最後に、本発明に係る構造体は、曲げ易く、通気性があり、対象物に沿い（型成形可能、注入可能）且つ衣服を生成できるという、織物としての側面を保有し、その厚さは、大面積および電気材料の適切な選択によって補償されるので、小さくあり得る。
【００９８】
この構造体は、エネルギーを再生するために、外気よりも高温の任意の装置（ボイラー、配管など）の代わりとしても使用され得る。
【００９９】
前記構造体は、熱電性を有し、所望の形（例えば飛行機の翼）に容易に適用される混合物を得るために、別の硬化性材料（例えば、樹脂）と結合され得る。
【０１００】
特許請求の範囲に記載された、技術的特徴に言及する参照符号は、特許請求の範囲の理解を容易にすることのみを目的とするものであって、その範囲を制限するものではない。
【図面の簡単な説明】
【０１０１】
【図１】図１は、ゼーベック効果を説明する熱電変換機を、模式的に示している。
【図２】図２は、本発明に係る熱電手段の製造における１つのステップを示している。
【図３】図３は、本発明に係る熱電手段の製造における別のステップを示している。
【図４】図４は、本発明に係る熱電手段の一実施形態を示している。
【図５】図５は、本発明に係る構造体の一例を示している。
【図６】図６は、図５に示された構造体を表す電気回路である。
【図１】
2009100643.tif 000004
【図２】
2009100643.tif 000005
【図３】
2009100643.tif 000006
【図４】
2009100643.tif 000007
【図５】
2009100643.tif 000008
【図６】
2009100643.tif 000009
【外国語明細書】
2009100643000001.pdf
2009100643000002.pdf
2009100643000003.pdf
2009100643000004.pdf